(57)【要約】  テープフラッグディスペンサーを備えた筆記用具が提供される。種々の実施例の一つにおける筆記用具は、胴部分と、胴部分に部分的に挿通したフラッグディスペンサーと、フラッグディスペンサーを覆って係合する回転するカバーとを有する。他の実施例の筆記用具は、胴部分と、胴部分内に部分的に挿通したフラッグディスペンサーと、フラッグディスペンサーを覆って係合するスライドカバーとを有する。更に他の実施例の筆記用具では、回転するあるいはスライドするカバーが、フラッグディスペンサーの色々な機能を作用可能とする。例えば、カバーはユーザーによるテープフラッグ取り出しを可能とする位置に移動可能である。カバーは、テープフラッグをカバーし且つ保護する位置に移動可能な形態ともし得る。補充可能な筆記用具実施例では、カバーはユーザーがテープフラッグを交換あるいは補充できるようにする位置に移動可能な形態のものでもあり得る。
2007517703.tif 000002
【特許請求の範囲】
【請求項１】
シート材料のディスペンサーを備えた筆記用具であって、
外側把持表面を有し、内側胴部分キャビティを確定する胴部分と、
胴部分の第１端部に連結したマーキング要素と、
胴部分の第２端部に連結した分与用プラグを含むディスペンサー部分にして、分与用プラグが、シート材料の積層体を受ける寸法を有するシートチャンバと、シートチャンバと連通し、シート材料の積層体の最初のシートが貫いて突出する分与口部分とを含み、内側のプラグ部分キャビティを確定するディスペンサー部分とを含み、
プラグ部分キャビティが、分与用プラグを胴部分に連結した場合に内側胴部分キャビティと連通して、インクカートリッジを受けるようになっている内側キャビティを確定する筆記用具。
【請求項２】
筆記用具が中心軸線を確定し、胴部分キャビティが中心軸線に実質的に芯合わせされ、プラグ部分キャビティが中心軸線から実質的にずらされる請求項１の筆記用具。
【請求項３】
分与用プラグが、プラグ部分キャビティ内に配置した勾配付きのガイドを含む請求項２の筆記用具。
【請求項４】
ディスペンサー部分が、分与用プラグに回転自在に連結されたカバー部分にして、シート材料が通過できるような寸法を有するシート開口を有するカバー部分を更に含む請求項１の筆記用具。
【請求項５】
カバー部分が、シート開口が分与口部分と整列する開放位置と、シート開口が分与用プラグの側部と整列する閉鎖位置との間で回転自在である請求項４の筆記用具。
【請求項６】
分与用プラグの外側がシートチャンバと連通され、カバー部分が、シート開口がシートチャンバと整列する装填位置に回転自在である請求項５の筆記用具。
【請求項７】
分与用プラグが、シートチャンバと分与口部分との間を伸延する喉部を更に含む請求項１の筆記用具。
【請求項８】
分与用プラグが、相互に対向して喉部を確定する第１ナッブ部分及び第２ナッブ部分を含む請求項７の筆記用具。
【請求項９】
第１ナッブ部分が、喉部の部分を確定する外側表面と、プラグ部分キャビティの部分を確定する内側表面とを有する請求項８の筆記用具。
【請求項１０】
ディスペンサー部分が、分与用プラグに摺動自在に連結されたカバー部分にして、分与口部分が露呈される開放位置と、カバー部分が分与口部分を覆う閉鎖位置との間を可動のカバー部分を更に含む請求項１の筆記用具。
【請求項１１】
分与用プラグが、主要部分と、主要部分にピボット廻動自在に連結したフリップカバー部分とを含み、フリップカバー部分が、シートチャンバが露呈される開放位置と、フリップカバー部分がシートチャンバを実質的に覆う閉鎖位置との間を可動である請求項１０の筆記用具。
【請求項１２】
フリップカバー部分が第１表面を確定し、主要部分が第２表面を確定し、フリップカバー部分を閉鎖位置とした場合に第１表面及び第２表面が分与口部分を確定する請求項１１の筆記用具。
【請求項１３】
シート材料がテープフラッグの積層体である請求項１の筆記用具。
【請求項１４】
シート材料のディスペンサーを備える筆記用具であって、
外側の把持表面を有する胴部分と、
胴部分の第１端部に連結したマーキング要素と、
胴部分の第２端部に連結された分与用プラグを含むディスペンサー部分にして、分与用プラグが、シート材料の積層体を受ける寸法とされ且つ分与用プラグの外側と連通するシートチャンバと、シートチャンバと連通され且つシート材料の積層体の最初のシートがそこを貫いて突出され得る分与口部分とを含むディスペンサー部分と、
分与用プラグに回転自在に連結されたカバー部分にして、シート材料がそこを貫けるような寸法とされたシート開口を含み、シート開口が分与口部分と整列する開放位置と、シート開口が分与用プラグの側部と整列する閉鎖位置と、シート開口がシートチャンバと整列する装填位置との間を回転自在であるカバー部分と、
を含む筆記用具。
【請求項１５】
シート材料がテープフラッグの積層体を含む請求項１４の筆記用具。
【請求項１６】
胴部分が胴部分キャビティを更に確定し、分与用プラグが内側のプラグ部分キャビティを更に確定し、プラグ部分キャビティが、分与用プラグを胴部分に連結したときに胴部分キャビティと連通して、インクカートリッジを受けるようになっている内側キャビティを確定する請求項１４の筆記用具。
【請求項１７】
筆記用具が中心軸線を確定し、胴部分キャビティが中心軸線に実質的に芯合わせされ、プラグ部分キャビティが中心軸線から実質的にずらされる請求項１６の筆記用具。
【請求項１８】
分与用プラグが、プラグ部分キャビティ内に配置した勾配付きのガイドを含む請求項１７の筆記用具。
【請求項１９】
長手方向長さを有するシート材料の積層体のための、シート材料のディスペンサーを備える筆記用具であって、
外側把持表面を有し、内側胴部分キャビティを確定する胴部分と、
胴部分の第１端部に連結したマーキング要素と、
胴部分の第２端部に連結された分与用プラグを含むディスペンサー部分にして、分与用プラグが、シート材料の積層体を受ける寸法とされたシートチャンバを含み、シートチャンバが、シート材料の積層体の対向する各端部と係合するようになっている対向する第１上方チャンバ壁及び第２上方チャンバ壁を有し、第１上方チャンバ壁及び第２上方チャンバ壁が、相互に離間されてその間部分に、シート材料の積層体の先行するシートがそこを貫いて通過し得る間隙を確定し、第１上方チャンバ壁及び第２上方チャンバ壁が、シート材料の積層体の長手方向長さの約４０％未満の部分と係合する寸法とされたディスペンサー部分と、
を含む筆記用具。
【請求項２０】
第１上方チャンバ壁及び第２上方チャンバ壁が、シート材料の積層体の長手方向長さの約１/３未満の部分と係合する寸法とされた請求項１９の筆記用具。
【請求項２１】
分与用プラグが、第１上方チャンバ壁に連結した第１ナッブ部分と、第２上方チャンバ壁に連結した第２ナッブ部分とを更に含み、第１ナッブ部分及び第２ナッブ部分が、第１上方チャンバ壁と第２上方チャンバ壁との間の間隙よりも小さい喉部を確定する請求項１９の筆記用具。
【請求項２２】
分与用プラグが、喉部と連通し且つシート材料の積層体の先行するシートが突出され得る分与口部分を更に含む請求項２１の筆記用具。
【請求項２３】
分与用プラグがプラグ部分キャビティを確定し、プラグ部分キャビティが、分与用プラグを胴部分に連結したときに胴部分キャビティと連通して、インクカートリッジを受けるようになっている内側キャビティを確定する請求項１９の筆記用具。
【発明の詳細な説明】
【技術分野】
【０００１】
本発明は、筆記用具に関し、詳しくは、テープフラッグディスペンサ付きの筆記用具に関する。
【背景技術】
【０００２】
ハイライター、即ち蛍光ペン、マーカー、ペン、シャープペンシルなどのような筆記用具が、本、雑誌、新聞紙その他の印刷出版物への書き込み用に使用されている。様々の色の蛍光ペンは印刷出版物の文字を強調させるために極めて一般的に使用される。例えば、Ｓａｎｆｏｒｄ  Ｌ．Ｐ．（イリノイ州Ｂｅｌｌｗｏｏｄ）社の製造する商標名ＡＣＣＥＮＴと称する蛍光ペンには多数の異なる色のものがあるが、そうした蛍光ペンは学生、教師、そして法律専門家等に評判が良い。
【０００３】
更には、印刷出版物のページに印を付けることがあり、例えば本のようなそうした印刷出版物の特定のページに印を付ける方法の一つはテープフラッグを貼り付けることである。詳しくは、テープフラッグには接着性部分と非接着性部分とが含まれ、接着性部分は例えば本のページのような表面に付着され、他方、非接着性部分はそれを視覚的に表示する。非接着性部分は、例えば多様な色及び又は形状のものであり得る。テープフラッグには、ページの１つのセクションをマーキングする使用法もある。従って、非接着性部分には様々な文字、数字及び又はメッセージを書き込むことができ、そうした書き込みには、例えば、非接着性部分における“署名”、“認証”、“頭文字”、あるいは“署名＆日付”などのメッセージが含まれ得る。
【発明の開示】
【発明が解決しようとする課題】
【０００４】
印刷出版物への書き込みには様々な筆記用具やテープフラッグディスペンサーが使われることから、数多くのそうした筆記用具やテープフラッグディスペンサー製品を個別に購入し、搬送し、及び又は使用する必然性が生じる。
【課題を解決するための手段】
【０００５】
本発明によれば、筆記用具とテープフラッグディスペンサーとが一体化され、かくして、数多くのそうした筆記用具やテープフラッグディスペンサー製品を個別に購入し、搬送し、及び又は使用する必然性が低減される製品が提供される。
【発明を実施するための最良の形態】
【０００６】
図１及び図２を参照するに、筆記用具が全体を参照番号１００で示され、胴部分１１０と、フラッグディスペンサー部分１２０とを含んでいる。筆記用具１００は、これに限定するものではないが、蛍光ペン、マーカー、ペン、あるいはシャープペンシルであり得る。筆記用具１００は、その第１端部１４０と第２端部１４５との間を伸延する筒状ボトル様の形態を有し得る。詳しくは、バレル部分１１０は第１端部１４０に近接するネックセクション１４７と、このネックセクション１４７から第２端部１４５に向けて伸延し、外側把持表面を提供するチューブ状セクション１４９と、チューブ状セクション１４９から第２端部１４５に向けて伸延する円錐状セクション１４８とを含む。ネックセクション１４７は、第１端部１４０に位置付けた先端ホルダー１５０を有し、この先端ホルダー１５０が、流体あるいはインクをある表面（例えば本のページ）に被着させるための、突出するマーキング要素１５１（図３）を保持するようになっている。
【０００７】
シート、あるいはフラッグディスペンサー部分１２０は、回転カバー部分１２２と、分与用プラグ１２４とを含む。分与用プラグ１２４は、胴部分１１０の円錐状セクション１４８に挿通され且つ係合し、またテープフラッグの積層体を収蔵するような形態を有している。回転カバー部分１２２は全体に円筒形状を有し、分与用プラグ１２４と係合し且つこの分与用プラグ１２４をその円周方向において覆うような形態を有する。また、回転カバー部分１２２は、テープフラッグを通過させるに好適な寸法形状としたテープフラッグ開口１２６を有する。
回転カバー部分１２２は回転自在に分与用プラグ１２４に係合し、この分与用プラグ１２４の周囲におけるその初期の円周方向位置に関して、部分的にかあるいは完全に回転され得る。回転カバー部分１２２と分与用プラグ１２４とは、例えば、回転カバー部分１２２の回転範囲を制限するためのタブあるいは機械的ストッパ（図示せず）を追加的に有し得る。回転カバー部分１２２と分与用プラグ１２４とは、回転カバー部分１２２を分与用プラグ１２４に関する所望の位置に整列させる戻止め、タブ、ナッブ部分あるいは溝を更に有し得る。
【０００８】
分与用プラグ１２４は、以下に詳しく説明するように、テープフラッグを分与するようにした分与口部分１２５を有する。フラッグディスペンサー部分１２０の分与用プラグ１２４内にテープフラッグの積層体を挿通し、この積層体が分与用プラグ１２４内で長手方向に配置されるようにすることができる。図１では、飛び出したテープフラッグ１２７が分与用プラグ１２４の分与口部分１２５から伸延する状態で示される。
分与用プラグ１２４は筆記用具１００の第２端部１４５に位置付けたナッブ部分１２９をも有する。ナッブ部分１２９は図示しないキャップ内にぴったりと嵌入するように寸法形状付けされる。キャップ部分は、ネックセクション１４７に同じくぴったりと嵌合するようになっており、筆記用具が使用されない間、筆記用先端部を保護するために使用され得る。
図２には筆記用具１００の別の斜視図が示され、回転カバー部分１２２が図１に示す位置とは異なる位置に回転されている。筆記用具１００は、図１ではテープフラッグ開口１２６が分与口部分１２５と整列した状態で示されるが、この図２では回転カバー部分１２２は回転されて分与口部分１２５とは整列せず、むしろテープフラッグ開口１２６が分与用プラグ１２４の側方部分２２８と整列されている。この位置では回転カバー部分１２２は分与口部分１２５をカバーし、そうしなければ分与口部分１２５から伸延してしまうテープフラッグを保護する。かくして、回転カバー部分１２２の回転方向に応じて、テープフラッグ開口１２６には分与用プラグ１２４の、分与口部分１２５かあるいは側方部分２２８が露呈され得る。
【０００９】
また、回転カバー部分１２２は、回転するとテープフラッグの供給源を格納するシートチャンバあるいは後方チャンバ５２５（図５に示され、以下に議論される）をも露呈させ得る。回転カバー部分１２２を回転させて後方チャンバ５２５を露呈させた場合、ユーザーはテープフラッグ開口１２６を通してこの後方チャンバへのアクセスが可能となり、かくしてこの後方チャンバ５２５内にテープフラッグの供給源を挿通させることができる。あるいは、若しくは更には、筆記用具１００は、回転カバー部分１２２全体を取り外すことで、後方チャンバ５２５が露呈されるような形態のものとすることもできる。この実施例の場合、ユーザーは回転カバー部分１２２を、第２端部１４５の方向に引っ張って筆記用具１００から取り外すことで、後方チャンバにアクセスすることができる。
【００１０】
図３には図１及び図２の筆記用具１００の分解斜視図が示され、胴部分１１０と、分与用プラグ１２４と、回転カバー部分１２２とが示される。また図３には、分与用プラグ１２４内に挿通され得るテープフラッグの積層体３１０も示される。テープフラッグの積層体３１０は、図１の筆記用具１００から突出する状態で示されるテープフラッグ１２７を含む。使用することのできるテープフラッグの積層体の例には、３Ｍ社の製造する商標名ＰＯＳＴ−ＩＴが含まれる。テープフラッグはプラスチック製あるいは紙ストリップ製のものであり得、その積層体は接着性のメモパッドの積層体と代替させ得る。また、ある実施例では筆記用具１００は、テープフラッグの積層体３１０に代えて、テープフラッグカートリッジを使用することができる。
【００１１】
胴部分１１０と、分与用プラグ１２４と、回転カバー部分１２２とは夫々別個に射出成型プラスチックから作製される。筆記用具１００の他の実施例では胴部分１１０と、分与用プラグ１２４とが単一の部片から作製され得る。筆記用具１００の各構成部品を、筆記用具のために一般に好適なその他の、部分的に柔軟な材料の如きを用いて形成することが可能である。
図３に例示されるように、分与用プラグ１２４は、第１端部１４０に向けてこの分与用プラグ１２４の中心軸線に沿って伸延する中空プラグ部分３４８を有しており、中空プラグ部分３４８は、胴部分１１０の円錐状セクション１４８の内部にぴったりと嵌入する寸法形状を有し、また、以下に説明するように、円錐状セクション１４８と共に恒久的なあるいは取り外し自在のシールを形成する。中空プラグ部分３４８を円錐状セクション１４８に嵌入させる間、中空プラグ部分３４８の峰部３４９は、円錐状セクション１４８の前縁部３４７と係合する。中空プラグ部分３４８は、分与用プラグ１２４の内側部分を筆記用具１００の胴部分１１０の内側部分と連通させ得るようにする開口３５０を有する。
【００１２】
図４には、筆記用具１００を第１端部１４０側から見た正面図が示される。図４に示すように、分与用プラグ１２４の円周方向の周囲には回転カバー部分１２２が取り付けられ、回転カバー部分１２２はテープフラッグ開口１２６を有している。図ではこのテープフラッグ開口１２６を通してテープフラッグ１２７が突出される状況が示される。
図５及び図６は夫々、図４の筆記用具１００の線５−５及び線６−６に沿った断面を長手方向から見た断面図であり、胴部分１１０と、回転カバー部分１２２と、分与用プラグ１２４とが示される。
【００１３】
図５に例示されるように、分与用プラグ１２４は、テープフラッグの積層体３１０を格納する後方チャンバ５２５を有し得る。ユーザーはテープフラッグ開口１２６を通して後方チャンバ５２５にアクセスすることができる。回転カバー部分１２２を回転させてテープフラッグ開口１２６を後方チャンバ５２５と整列させ、回転カバー部分１２２を通してテープフラッグの積層体を後方チャンバ５２５に挿通し得るようにすることで、テープフラッグの積層体へのアクセスが提供される。筆記用具１００に関するテープフラッグの出し入れを容易化するために、テープフラッグ開口１２６をテープフラッグの積層体を容易に通過させ得るような寸法形状とすることが好ましい。あるいは、若しくは更には筆記用具１００は、回転カバー部分１２２全体を取り外して後方チャンバ５２５を露呈させ、露呈した後方チャンバに関してテープフラッグを出し入れ可能とするような形態とすることもできる。
【００１４】
ユーザーは、テープフラッグ開口１２６が後方チャンバ５２５と整列している場合に分与用プラグ１２４の後方チャンバ５２５内にテープフラッグを装填することができる。ユーザーは、最初のテープフラッグ１２７を分与用プラグ１２４の分与口部分１２５を通して挿通させる状態下に、テープフラッグの積層体３１０を後方チャンバ５２５内に配置させ得る。テープフラッグ開口１２６を通してテープフラッグを後方チャンバ５２５内に配置した後、テープフラッグ開口１２６を回転して後方チャンバ５２５から離間させるとテープフラッグの積層体が固定される。
テープフラッグの積層体３１０には、一方の側面に接着性材料を有するテープフラッグが含まれ得る。接着性材料は、紙、木材、金属あるいはガラスのような固体表面に関するテープフラッグの着脱を容易化させ得る。接着性材料は、テープフラッグの一側面の一部分のみに位置付け得、被着するべき表面に関するテープフラッグの着脱を容易化する。
【００１５】
テープフラッグは、これを積層体３１０の如き状態で格納する場合、テープフラッグの接着性の部分の向きを交互させたジグザグ態様下に配置され得る。こうすることで、当業者には知られるように、各テープフラッグが次のテープフラッグを使用準備状態に位置決めする状態下に、積層体からテープフラッグを一枚づつ引き出すことができるようになる。
図５に示されるように、最初のテープフラッグ５２７が分与口部分１２５から突出され、使用準備位置に位置決めされている。最初のテープフラッグ５２７は、それが積層体３１０上に固定されるところの後方チャンバ５２５から伸延される。図示されるように、最初のテープフラッグ５２７の接着性の部分は積層体３１０の次のテープフラッグに被着されており、ユーザーがこの最初のテープフラッグ５２７を筆記用具１００から引き抜くと、この最初のテープフラッグ５２７が次のテープフラッグを引き出すことになる。最初のテープフラッグ５２７が分与口部分１２５から引き抜かれると次のテープフラッグが使用準備状態に引き出され、その非接着性の部分が分与口部分１２５から突出する。
【００１６】
分与用プラグ１２４は、２つのナッブ部分５２６及び５２８によって確定される喉部を有し得、この喉部は分与用プラグ１２４の分与口部分１２５の背後に位置付けられる。テープフラッグは、後方チャンバ５２５内の積層体３１０からこの喉部を通して、そして最後に分与口部分１２５を通して筆記用具１００から引き出される。
ナッブ部分５２６及び５２８は、分与用プラグ１２４の喉部が図５に示すような砂時計形状の断面を有するように寸法付けされ得る。喉部は、テープフラッグが容易に通過するように寸法付けされ得、同様に、後方チャンバの寸法形状もテープフラッグの引き出しを容易化するように選択され得る。こうした寸法形状は積層体３１０をなすテープフラッグの大きさに好ましく合わせられる。
【００１７】
筆記用具１００で使用され得るテープフラッグの大きさは様々であり、その一つは積層体の長さ“Ｌ”（図３）が２０〜２００ｍｍの間のものである。このテープフラッグは幅が２〜５０ｍｍのものであり得る。テープフラッグの接着材はテープフラッグの一方あるいは両方の側面の５〜１００％をカバーし得、例えば、長さが約４４ｍｍ、幅が約１０ｍｍで、一方の側面に接着性部分を有するテープフラッグの場合、この接着性部分の長さは約２５ｍｍであり得る。テープフラッグの積層体はその初期高さが２〜２０ｍｍであり得る。後方チャンバ５２５は幅と、長さと、テープフラッグの幅、長さ及び高さよりも１〜５ｍｍ大きい深さとを有する。
【００１８】
後方チャンバ５２５は、ユーザーがテープフラッグを引き抜く際のテープフラッグの積層体３１０の往復動作を最小化する寸法形状とすることが好ましい。従って、後方チャンバ５２５は、テープフラッグの積層体の各端部と係合する第１上方チャンバ壁５５０と、第２上方チャンバ壁５５２とを含み得る。第１上方チャンバ壁５５０と、第２上方チャンバ壁５５２とは、積層体の各端部の一部分とのみ係合し、かくしてこれら第１上方チャンバ壁５５０と、第２上方チャンバ壁５５２との間の間隙５５４を通してのテープフラッグの引抜きを容易化する。１例では、第１上方チャンバ壁５５０と、第２上方チャンバ壁５５２とは、積層体の長さ“Ｌ”の約４０％、好ましくは約１/３未満の長さ部分と係合する。第１上方チャンバ壁５５０と、第２上方チャンバ壁５５２とにおける、積層体の長さ“Ｌ”との係合長さを減少させることで、積層体からの先行するテープフラッグの取り出しがずっと容易化され、その一方、後方チャンバ５２５内の、積層体が摺動するあるいは“往復動作”するべき距離が最小化される。例えば、後方チャンバ５２５は幅が約１２ｍｍ、長さが２７ｍｍ、深さが４ｍｍであり得、第１上方チャンバ壁５５０と、第２上方チャンバ壁５５２との間の距離は約１．５〜２．０ｍｍであり得る。２つのナッブ部分５２６及び５２８は夫々第１上方チャンバ壁５５０及び第２上方チャンバ壁５５２に連結され、かくして間隙５５４よりも狭い喉部を確定し得る。この狭い喉部は、先行するテープフラッグを分与口部分１２５の中心に接近させ、かくして回転カバー部分１２２に必要とされる長手方向長さを最小化し、また、先行するテープフラッグを筆記用具１００の軸線と直交方向に近づけるように配向してユーザーがテープフラッグを把持しやすいようにする。
【００１９】
図５には、分与用プラグ１２４を胴部分１１０に連結したときに形成される内側キャビティ５３０が例示される。内側キャビティ５３０は、胴部分１１０内に位置付けられる胴部キャビティ５３２と、分与用プラグ１２４の内側に位置付けられるプラグ部分キャビティ５３４とを有し、図示されないインクカートリッジを保持するために好適な寸法形状を有する。インクカートリッジは先端ホルダー１５０に取り付けた筆記用チップにインクを供給し得、インクあるいは、インクを含む吸収材のような好適なインク供給源の容器であり得る。プラグ部分キャビティ５３４は、図示されるように分与用プラグ１２４内に実質的に伸延され得、かくして内側キャビティ５３０全体は胴部分キャビティ５３２よりも実質的に大きく、仮にそのように大きくない場合には胴部分キャビティ５３２内に完全には入りきらない大きなインクカートリッジを保持するために好適なものである。
【００２０】
胴部分１１０の内部には、インクカートリッジを然るべく保持するのを助成するための一組のバッフル５２０が取り付けられる。筆記用具１００の組み立てに際し、インクカートリッジが胴部分１１０に挿通され得る。次いで、分与用プラグ１２４がバレル部分１１０に装着され、これによりインクカートリッジは内側キャビティ５３０内に包入される。分与用プラグ１２４と胴部分１１０とをしっかりと連結するためのシール５４０がこれら分与用プラグ１２４と胴部分１１０との間に形成され得る。シール５４０は分与用プラグ１２４と胴部分１１０に形成する円周方向の一つ以上の錠止リングから作製され得、あるいは、若しくは更には、熱処理性のあるいは圧力式の接着材から形成され得る。
【００２１】
図示されるように、内側キャビティ５３０の胴部分キャビティ５３２は筆記用具１００の中心軸線に実質的に芯合わせされている。しかしながら、後方チャンバ５２５を収受するために、プラグ部分キャビティ５３４は筆記用具の中心軸線から実質的にずらされる。組み立てに際して、分与用プラグ１２４を胴部分１１０に取り付ける間、インクカートリッジの位置決めを案内するための勾配付きのガイド３５２がプラグ部分キャビティ５３４に取り付けられる。ガイド３５２は、分与用プラグ１２４を胴部分１１０上に装着する際、インクカートリッジの端部を、中心軸線からずれた位置で（図３にも示される）プラグ部分キャビティ５３４に徐々に押し込まれるように案内する。
【００２２】
図７及び図８にはテープフラッグを分与するようにした筆記用具の別の実施例が全体を番号７００で示されている。筆記用具７００は胴部分７１０と、テープフラッグを分与する分与用部分７２０とを含み、第１端部７４０から第２端部７４５に掛けて伸延する円筒状のボトル形態を有し得、詳しくは、胴部分７１０は、第１端部７４０に近接するネックセクション７４７と、このネック部分７４７から第２端部７４５に向けて伸延する管状セクション７４９と、この管状セクション７４９から第２端部７４５に向けて伸延する円錐状セクション７４８とを含む。ネックセクション７４７は、第１端部７４０に位置付けられてマーキング要素（図示せず）を保持するようにした先端ホルダー７５０を有する形態のものであり得る。
【００２３】
分与用部分７２０はスライドカバー部分７２２と、分与用プラグ７２４（図８参照）とを含み、分与用プラグ７２４は胴部分７１０の円錐状セクション７４８上に係合する形態を有する。分与用プラグ７２４はテープフラッグの積層体を収蔵する形態を有し、スライドカバー部分７２２は全体に円筒形状を有し、分与用プラグ７２４上に係合し且つ分与用プラグ７２４を円周方向において覆う形態を有する。
スライドカバー部分７２２は、分与用プラグ７２４に沿って長手方向（第１端部７４０及び第２端部７４５の間での）に摺動する形態を有し、図７に示す閉鎖位置と、図８に示す開放位置との間で分与用プラグ７２４に沿って摺動する。筆記用具７００は、スライドカバー部分７２２と胴部分７１０との間に、スライドカバー部分７２２が閉鎖位置にある時はスリット７２６を、開放位置にある時は開口８２６を、各有する。
【００２４】
スライドカバー部分７２２上に設けた峰部７３０により、このスライドカバー部分７２２を開閉の各位置間で摺動させるに際してユーザーはスライドカバー部分７２２を良好に把持することができる。分与用プラグ７２４上にはタブ８３２を形成し、スライドカバー部分７２２には長孔７３２を形成し、スライドカバー部分７２２を開放位置とした時にタブ８３２と長孔７３２とが摩擦係合するように構成し得る。長孔７３２とタブ８３２とは戻止めとして作用するので、ユーザーはこの戻止めに打ち勝つに十分な力でスライドカバー部分７２２を押し、閉鎖位置にパチンと戻すことになる。あるいは、長孔７３２とタブ８３２とをもっと剛性の高い構造部分として形成することもできる。その場合、ユーザーはタブ８３２を押して長孔７３２から脱係合させ、スライドカバー部分７２２を閉鎖位置に戻すことができる。
【００２５】
分与用プラグ７２４はテープフラッグを分与するようにした分与口部分７２５を有し、この分与口部分７２５は、スライドカバー部分７２２を開放位置とした時に露呈され得、スライドカバー部分７２２を閉鎖位置とした場合はカバーされ且つ保護され得る。
テープフラッグの積層体を分与用プラグ７２４内に挿通し、この分与用プラグ７２４の長手方向に配置し得る。分与用プラグ７２４の分与口部分７２５から伸延して開口８２６から突出するテープフラッグ７２７が示される。
分与用プラグ７２４は、筆記用具７００の第２端部７４５の位置に位置付けたナッブ部分７２９をも有する。ナッブ部分７２９は、ネックセクション７４７にやはりぴったりと嵌合する図示されないキャップ内にぴったりと嵌入するような寸法形状を有する。キャップは、筆記用具が使用されないときに筆記用具を保護するために使用され得る。
【００２６】
図９は図７及び図８に示す筆記用具７００の分解斜視図であり、胴部分７１０と、分与用プラグ７２４と、スライドカバー部分７２２とが示されている。図９には分与用プラグ７２４内に挿通され得るテープフラッグの積層体９１０も示される。積層体９１０は、図８の筆記用具７００から突出する状態で示されるテープフラッグ７２７を含む。
胴部分７１０と、分与用プラグ７２４と、スライドカバー部分７２２とは、射出成型プラスチックから各別個に作製される。筆記用具７００の各構成部品をその他の材料、例えば、一般に筆記用具のために好適な、部分的に柔軟な材料の如きを用いて形成することが可能である。
【００２７】
図９に示されるように、分与用プラグ７２４はその中心軸線に沿ってその第１端部７４０の方向に伸延する中空プラグ部分９４８を有する。中空プラグ部分９４８は胴部分７１０の円錐状セクション７４８にぴったりと嵌入する寸法形状を有する。分与用プラグ７２４と胴部分７１０との間には、両部材を固定状態で連結するためのシール１１４０（図１１）を形成し得る。シール１１４０は分与用プラグ７２４と胴部分７１０とに形成した、円周方向の一つ以上の錠止リングから作製され得る。あるいは、若しくは更にはシール１１４０は、熱処理された、あるいは圧力活性式の接着材から形成され得る。
中空プラグ部分９４８は分与用プラグ７２４の内側部分が筆記用具７００の胴部分７１０の内側部分とを連通させるようにする開口９５０と、筆記用具の組み立て中における胴部分７１０内でのインクカートリッジの整合を助成する勾配付きのガイド９５２とを有し得る。
【００２８】
分与用プラグ７２４は、この分与用プラグ７２４の主要部分９７８に撓み自在に取り付けたフリップカバー部分９８０を有し得る。フリップカバー部分９８０は、主要部分９７８から離間する方向に開いてテープフラッグチャンバ９７０を露呈させる。テープフラッグの積層体９１０は、組み立て中はテープフラッグチャンバ９７０内に配置され得、ユーザーによって追加的な再充填がなされ得る。主要部分９７８と、フリップカバー部分９８０とは射出成型プラスチックからなる一つのユニット部片として形成され、撓み性のプラスチックのヒンジによって相互に連結され得る。あるいはこれら主要部分９７８と、フリップカバー部分９８０とは別個に形成され、可撓性のスイベル式ヒンジによってピボット廻動自在に連結され得る。
【００２９】
フリップカバー部分９８０は、閉じられると主要部分９７８上に配置され、テープフラッグをテープフラッグチャンバ９７０内に包囲及び保持し、また、分与用プラグ７２４の分与口部分７２５が、このフリップカバー部分９８０の第１表面９５３と、分与用プラグ７２４の主要部分９７８の第２表面９５５とによって形成される。関連する機構部分と係合するように寸法付け及び位置決めされたナッブ部分９６４及び９６６とタブ９６２とが、分与用プラグ７２４上に形成され、かくしてフリップカバー部分９８０は分与用プラグ７２４の主要部分９７８上に錠止される。
【００３０】
図１０は筆記用具７００を第１端部７４０側から見た正面図であり、スライドカバー部分７２２の峰部７３０と、円錐状セクション７４８と、突出するテープフラッグ７２７とが示されている。
図１１は筆記用具を図１０の線１１−１１に沿って切断した、また図１２は筆記用具を図１０の線１２−１２に沿って切断した各断面図であり、胴部分７１０と、分与用プラグ７２４と、フリップカバー部分９８０と、スライドカバー部分７２２とが示されている。
図１１に示されるように、最初のテープフラッグ７２７は分与口部分７２５から突出した使用準備位置に位置付けられる。最初のテープフラッグ７２７はテープフラッグチャンバ９７０から伸延され、テープフラッグの積層体９１０上に係止されている。図示されるように、最初のテープフラッグ７２７の接着性部分はテープフラッグの積層体９１０における引き続くテープフラッグに貼付けられており、ユーザーが最初のテープフラッグ７２７を引っ張り、筆記用具７００からテープフラッグを抜き取ると、この最初のテープフラッグ７２７が結局、引き続くテープフラッグを引き出す。最初のテープフラッグ７２７が分与口部分７２５から引き出されると、引き続くテープフラッグが使用準備位置に引き出され、その非接着性部分が分与口部分７２５から突出する。
【００３１】
分与用プラグ７２４は、ガイドプレート１１２６と、ナッブ部分１１２８とによって確定される喉部を有し得る。この喉部は分与用プラグ７２４の分与口部分７２５の後方に位置付けられる。筆記用具７００のテープフラッグチャンバ９７０内のテープフラッグの積層体９１０から引き出されるテープフラッグはこの喉部を通り（ガイドプレート１１２６とナッブ部分１１２８との間の）、最後に分与口部分７２５を通過する。
ガイドプレート１１２６とナッブ部分１１２８とは、分与用プラグ７２４の喉部が、図１１に示されるような砂時計の半分の形状の断面を有するような寸法形状とされ得、また喉部は、テープフラッグの通過を容易化する寸法形状とされ得る。同様に、テープフラッグチャンバ９７０もまた、テープフラッグの取り出しを容易化するような寸法形状が選択され得る。これらの寸法形状はテープフラッグの積層体９１０におけるテープフラッグの意図された寸法に適合されることが好ましい。
【００３２】
図１１には、分与用プラグ７２４を胴部分７１０に連結した場合に形成される内側キャビティ１１３０も例示される。内側キャビティ１１３０は、胴部分１１０の内部に位置付けた胴部分キャビティ１１３２と、分与用プラグ７２４内に位置付けたプラグ部分キャビティ１１３４とを含み、このプラグ部分キャビティ１１３４は図示されるように、分与用プラグ７２４の実質的に内部に伸延され得る。
インクカートリッジを然るべく保持するのを助成するための一組のバッフル１１２０が、胴部分７１０の内側部分に取り付けられる。筆記用具７００の組み立て中、インクカートリッジは胴部分７１０に挿通され得る。次いで分与用プラグ７２４が胴部分７１０に取り付けられ、内側キャビティ１１３０内にインクカートリッジを包囲する。シール１１４０はインク耐性のシールであり得、かくして内側キャビティ１１３０はインクカートリッジの周囲のインクリザーバを形成する。
【００３３】
以上、本発明を実施例を参照して説明したが、本発明の内で種々の変更をなし得ることを理解されたい。ここに開示したテープフラッグディスペンサーはその他の筆記用具、例えば、これに限定するものではないが、ペン、シャープペンシル、マーカー等でも使用し得る。
【図面の簡単な説明】
【００３４】
【図１】本発明に従う、テープフラッグを分与するための形態の筆記用具の第１実施例の斜視図である。
【図２】本発明に従う、テープフラッグを分与するための形態の筆記用具の第１実施例の他の斜視図である。
【図３】図１及び図２の実施例の分解斜視図である。
【図４】図１及び図２の実施例の正面図である。
【図５】図１及び図２の実施例の、図４の線５−５に沿って切断した断面図である。
【図６】図１及び図２の実施例の、図４の線６−６に沿って切断した断面図である。
【図７】本発明に従う、テープフラッグを分与するための形態の筆記用具の第２実施例の斜視図である。
【図８】本発明に従う、テープフラッグを分与するための形態の筆記用具の第２実施例の他の斜視図である。
【図９】図７及び図８の実施例の分解斜視図である。
【図１０】図７及び図８の実施例の正面図である。
【図１１】図７及び図８の実施例の、図１０の線１１−１１に沿って切断した断面図である。
【図１２】図７及び図８の実施例の、図１０の線１２−１２に沿って切断した断面図である。
【符号の説明】
【００３５】
１００  筆記用具
１１０  胴部分
１２０  フラッグディスペンサー部分
１２２  回転カバー部分
１２４  分与用プラグ
１２５  分与口部分
１２６  テープフラッグ開口
１２７  テープフラッグ
１２９  ナッブ部分
１４０  第１端部
１４５  第２端部
１４７  ネックセクション
１４８  円錐状セクション
１４９  チューブ状セクション
１５０  先端ホルダー
１５１  マーキング要素
２２８  側方部分
３１０  積層体
３４７  前縁部
３４８  中空プラグ部分
３４９  峰部
３５０  開口
３５２  ガイド
５２０  バッフル
５２５  後方チャンバ
５２６、５２８  ナッブ部分
５２７  テープフラッグ
５３０  内側キャビティ
５３２  胴部分キャビティ
５３４  プラグ部分キャビティ
５４０  シール
５５０  第１上方チャンバ壁
５５２  第２上方チャンバ壁
５５４  間隙
７００  筆記用具
７１０  胴部分
７２０  分与用部分
７２２  スライドカバー部分
７２４  分与用プラグ
７２５  分与口部分
７２６  スリット
７２７  テープフラッグ
７２９  ナッブ部分
７３０  峰部
７３２  長孔
７４０  第１端部
７４５  第２端部
７４７  ネックセクション
７４８  円錐状セクション
７４９  管状セクション
７５０  先端ホルダー
８２６  開口
８３２  タブ
９１０  積層体
９４８  中空プラグ部分
９５０  開口
９５２  ガイド
９５３  第１表面
９５５  第２表面
９６２  タブ
９６４、９６６  ナッブ部分
９７０  テープフラッグチャンバ
９７８  主要部分
９８０  フリップカバー部分
１１２６  ガイドプレート
１１２８  ナッブ部分
１１３０  内側キャビティ
１１３２  胴部分キャビティ
１１３４  プラグ部分キャビティ
１１４０  シール
【図１】
2007517703.tif 000003
【図２】
2007517703.tif 000004
【図３】
2007517703.tif 000005
【図４】
2007517703.tif 000006
【図５】
2007517703.tif 000007
【図６】
2007517703.tif 000008
【図７】
2007517703.tif 000009
【図８】
2007517703.tif 000010
【図９】
2007517703.tif 000011
【図１０】
2007517703.tif 000012
【図１１】
2007517703.tif 000013
【図１２】
2007517703.tif 000014
【国際調査報告】
2007517703.tif 000015
2007517703.tif 000016
2007517703.tif 000017
2007517703.tif 000018
2007517703.tif 000019